(57)【要約】【課題】独立した出口を通して液体および懸濁物質を方向転換させるバイパスコネクタを提供する。【解決手段】入口および出口を追加のバイパス部分とともに有するコネクタ。バイパス部分は２つの構成、つまり非バイパス構成とバイパス構成の間で動作可能であり、バイパス部分が非バイパス構成になっている場合は、液体が入口を通って出口から出られるようにし、バイパス部分がバイパス構成になっている場合は、入口に入る液体をバイパス部分に沿って方向転換させてバイパス出口から出すことによって液体が出口から出ることを効果的に防止できるように、バイパス部分と少なくとも部分的に重なるコネクタの内面の領域を有する。【選択図】なし
2008536033.tif 000002
【特許請求の範囲】
【請求項１】
入口および出口、さらにバイパス出口と、
非バイパス構成とバイパス構成との間で動作可能であり、前記非バイパス構成になっている場合は液体が前記入口を通過して、前記出口を出られるようにするバイパス部分と、を含むコネクタであり、
前記バイパス部分が前記バイパス構成になっている場合は、前記入口に入る液体を前記バイパス部分に沿って方向転換させて前記バイパス出口から出すことによって液体が前記出口から出ることを効果的に防止できるように、前記バイパス部分と少なくとも部分的に重なる前記コネクタの内面の領域を有するように構成されることを特徴とするコネクタ。
【請求項２】
前記コネクタが縦樋コネクタである、請求項１に記載のコネクタ。
【請求項３】
前記バイパス出口が、実質的に前記コネクタの側部に配置された開口である、前記請求項いずれか１項に記載のコネクタ。
【請求項４】
前記バイパス出口が前記入口と前記出口の中間に配置される、前記請求項いずれか１項に記載のコネクタ。
【請求項５】
前記バイパス部分が内部分および外部分を有する、前記請求項いずれか１項に記載のコネクタ。
【請求項６】
前記バイパス部分が内部分のみを有する、前記請求項いずれか１項に記載のコネクタ。
【請求項７】
前記バイパス部分が、液体および／または懸濁物質を方向転換させ、前記コネクタの前記出口を通る通路の通常の経路から離すことができる樋を形成する、前記請求項いずれか１項に記載のコネクタ。
【請求項８】
前記バイパス部分が側壁を有する、前記請求項いずれか１項に記載のコネクタ。
【請求項９】
前記バイパス部分の前記側壁が湾曲している、前記請求項いずれか１項に記載のコネクタ。
【請求項１０】
前記バイパス部分が、前記非バイパス構成とバイパス構成の間で旋回する、前記請求項いずれか１項に記載のコネクタ。
【請求項１１】
前記バイパス部分が前記バイパス出口内で旋回する、前記請求項いずれか１項に記載のコネクタ。
【請求項１２】
前記バイパス部分が、前記バイパス構成と非バイパス構成の間で旋回するために、前記コネクタに対して滑動する、前記請求項いずれか１項に記載のコネクタ。
【請求項１３】
前記バイパス部分がバイパス構成になっている場合に、前記コネクタの前記内面の領域が前記バイパス部分と部分的に重なる、前記請求項いずれか１項に記載のコネクタ。
【請求項１４】
前記バイパス部分がバイパス構成になっている場合に、前記コネクタの前記内面の前記領域が、前記バイパス部分の前記上面上に延在し、それと突き当たる、請求項１３に記載のコネクタ。
【請求項１５】
前記重なる領域が水密シールを形成する、請求項１３または請求項１４に記載のコネクタ。
【請求項１６】
前記重なる領域が前記バイパス部分を所定の位置にロックできるようにする、請求項１３または請求項１５に記載のコネクタ。
【請求項１７】
前記重なる領域が突出するリップの形態である、請求項１３から１６いずれか１項に記載のコネクタ。
【請求項１８】
前記重なる領域が、前記コネクタの前記内面の階段状部分の形態である、請求項１３から１７いずれか１項に記載のコネクタ。
【請求項１９】
前記階段状の前記重なる領域が、前記コネクタの上部分と下部分との内径または断面寸法の違いの結果として形成される、請求項１３から１８いずれか１項に記載のコネクタ。
【請求項２０】
前記バイパス部分が水および／または細片を前記バイパス出口から排出できるようにする、前記請求項いずれか１項に記載のコネクタ。
【請求項２１】
前記バイパス部分が樋または流路と接続して、前記バイパス出口を出る前記水および／または細片を所望の位置または保存区域へと誘導する、前記請求項いずれか１項に記載のコネクタ。
【請求項２２】
前記バイパス部分を非バイパス構成へと動かすことができる、前記請求項いずれか１項に記載のコネクタ。
【請求項２３】
前記非バイパス構成が前記入口と前記出口との間を自由連絡できるようにする、前記請求項いずれか１項に記載のコネクタ。
【請求項２４】
前記入口と前記出口との間の自由連絡を達成するために、前記バイパス部分が、前記コネクタの表面と実質的に平行に向くように動く、前記請求項いずれか１項に記載のコネクタ。
【請求項２５】
前記バイパス部分が前記非バイパス構成になっている場合に、前記フラップの前記内部分が前記コネクタの前記内面と接触することができ、前記フラップの前記外部分が前記コネクタの前記外面と接触することができる、前記請求項いずれか１項に記載のコネクタ。
【請求項２６】
前記バイパス部分が前記非バイパス構成になっている場合に、前記バイパス部分が前記バイパス出口を覆う、前記請求項いずれか１項に記載のコネクタ。
【請求項２７】
前記バイパス部分がバイパス構成になって、前記入口と前記出口との間の連絡を防止する、前記請求項いずれか１項に記載のコネクタ。
【請求項２８】
前記バイパス部分が前記非バイパス構成とバイパス構成との間で旋回する、前記請求項いずれか１項に記載のコネクタ。
【請求項２９】
前記コネクタが内部ウォータトラップを有する、前記請求項いずれか１項に記載のコネクタ。
【請求項３０】
前記コネクタが、前記バイパス出口と前記出口との間に配置された前記トラップと関連する代替バイパス出口を有する、前記請求項いずれか１項に記載のコネクタ。
【請求項３１】
前記代替バイパス出口がホースまたは他の導管に結合される、請求項３０に記載のコネクタ。
【請求項３２】
前記内部ウォータトラップが、前記入口に入る水を全部捕捉し、水を前記代替バイパス出口に通して所望の位置に向かって方向転換させる、請求項２９または請求項３０に記載のコネクタ。
【請求項３３】
前記所望の位置が保存タンクである、請求項３２に記載のコネクタ。
【請求項３４】
前記内部トラップが、前記コネクタの前記内面からある距離引き離された１つまたは複数のさらなる内壁によって生成される、請求項２９から３２に記載のコネクタ。
【請求項３５】
前記請求項いずれか１項に記載のコネクタを樋システムで使用すること。
【請求項３６】
前記請求項いずれか１項に記載のコネクタを含む樋システム。
【請求項３７】
実質的に添付図面および付随する例に関して本明細書で説明され、図示されたコネクタ。
【請求項３８】
実質的に添付図面および付随する例に関して本明細書で説明され、図示されたコネクタの使用。
【発明の詳細な説明】
【技術分野】
【０００１】
本発明はコネクタに関する。特に、限定されるわけではないが、独立した出口を通して液体および懸濁物質を方向転換させるバイパスコネクタに関する。
【背景技術】
【０００２】
本発明は、様々な異なる用途を有する。しかし一般的に、本発明は幾つかの液体収集または廃棄システムに関連して使用されると想定されるが、これに限定されるわけではない。参照し易くするために、次に本発明を樋システムの縦樋に関連して検討する。
【０００３】
多くの人が樋システムの掃除または家屋の屋根の掃除に有毒な化学物質を使用している。これらの化学物質または化学物質の残滓の多くは、洗い流されて樋システムに入り、最終的には縦樋を介して排水システムに落ち着く。これらの化学物質は、動物および植物の生命を破壊する可能性があり、したがって満足できる結果にならない。
【０００４】
現在のところ、樋システムの縦樋に組み込むことができる使用可能な多くのタイプのバイパスシステムがあるが、全てに欠点がある。
【０００５】
例えば、米国特許ＵＳ５，１１９，８４９号に記載されているような、別個の部品で構成されたバイパスシステムがある。このシステムは、樋を掃除している時は縦樋を閉塞することができる内板、および収集した細片および水を樋の外へと誘導する第２可動板を有する。しかし、このシステムは多くの欠点を有する。例えば、システムがバイパスとして効果的に作用できる前に、多くの可動内部品を実現する（つまり動かす）必要がある。したがって、部品の１つが破損するか、錆びるか、使用できなくなると、システムは動作不能になる。さらに、細片が出口から流れ出ると、縦樋から細片が出る流路がない。縦樋の傍らを落下するだけだからである。板の間に細片が多少捕捉され、システムの効率的な作動を阻止する可能性もある。
【０００６】
使用可能な別のシステムは、オーストラリア特許出願ＡＵ１９９４７８９０１号に示されたものである。この分流装置は、別個の分流板および別個の案内板を有する。しかし、このシステムも多くの可動部品を組み込み、これは錆びたり破損したりしやすく、システムが使用不能になる。さらに、分流板は液密シールを形成せず、したがって屋根または樋系の掃除に使用される有毒な化学物質がまだ、出口を流れ落ちて排水システムに入る可能性が存在する。
【０００７】
使用可能な他のバイパスシステムに、英国特許ＧＢ２，２３４，２８５Ａ号、米国特許ＵＳ３，９９０，４７４号、および欧州特許ＥＰ１，４４７，４９３Ａ１号に示されているものと同様のものがある。これらのシステムは全て、内板および外板を有する区間で構成された単一のバイパス板を開示している。板がバイパス構成である場合、内板は縦樋の内壁と接触し、外部品が案内板として作用する。使用時に、これは細片が排水システム内へと通過することを防止する、かつ／または雨水を代替位置へと分流する。バイパス板を使用していない（つまりバイパス構成でない）場合、バイパス板は、板の構成要素が縦樋と面一になるように配置される。米国特許ＵＳ３，９９０，４７４号および欧州特許ＥＰ１，４４７，４９３Ａ１号に記載されたシステムは両方とも、樋系の壁と面一のバイパス板を捕捉し、保持することを利用する。これは、特に留め具が破損するか錆び、したがって使用不能になった場合に問題を引き起こす可能性がある。さらに、英国特許２，２３４，２８５Ａ号、米国特許ＵＳ３，９９０，４７４号および欧州特許ＥＰ１，４４７，４９３Ａ１号に記載されたシステムは全て、縦樋の内壁とシールを生成するようバイパス板を所定の位置に保持するために、摩擦を利用する。時間の経過とともに、シールの磨耗および引き裂き、またはシールと内壁の間に引っかかった細片のせいで、これは縦樋の内壁とバイパス板の間に清浄なシールが形成されることを妨げる可能性がある。したがって、樋または屋根の洗浄に有毒な洗浄溶液を使用している場合は、バイパス板と排水システムの間を化学物質が漏れて、排水システムに入る可能性がある。
【０００８】
市場で入手可能な別のバイパスシステムは、Marleyの縦樋分流器である。このシステムは基本的に、以上のパラグラフで説明したシステムと同じように働く。しかし、Marleyの分流器はシールを生成せず、縦樋の主要出口を効果的に閉塞もしない。したがって、洗浄溶液は、分流部分と縦樋の内壁との間に存在するギャップを介して排水システムに入ることができる。Marleyシステムの別の欠点は、バイパス部分の中心に位置する内部強化区間もあることである。細片が縦樋を流れ落ちると、細片が縦樋に捕捉され、これを閉塞する可能性がある。
【０００９】
本明細書で引用した特許または特許出願を含む全ての参照文献は、参照により本明細書に組み込まれる。いずれの参考文献も先行技術を構成するとは認められない。参考文献の検討によると、引用された文書の正確さおよび適切さに異議を申し立てる権利をその著者は主張し、出願人はその権利を保持している。本明細書では幾つかの先行技術の出版物に言及しているが、このような言及は、これらの文書のいずれも、ニュージーランドまたは他のどの国でも当技術分野で共有される一般知識の一部を形成していることを認めるものではないことが明白に理解される。
【００１０】
「備える」という用語は、様々な権限下で排他的意味または包括的意味があるものと確認される。本明細書では、他で言及していない限り、「備える」という用語は、包括的意味を有するものとする。つまり、列挙され、直接的に言及された部品ばかりでなく、規定されていない他の部品または要素も含むという意味に解釈される。この解釈は、方法またはプロセスの１つまたは複数のステップに関して「備える」という用語を使用する場合にも適用される。
【発明の開示】
【発明が解決しようとする課題】
【００１１】
以上の問題に対応し、少なくとも有用な選択肢を公開することが本発明の目的である。
【００１２】
本発明のさらなる態様および利点は、例示によってのみ与えられる以下の説明から明白になる。
【課題を解決するための手段】
【００１３】
本発明の一態様によると、
入口および出口、さらにバイパス出口と、
非バイパス構成とバイパス構成との間で動作可能であり、非バイパス構成になっている場合は液体が入口を通過して、出口を出られるようにするバイパス部分と、
を含むコネクタであり、
バイパス部分がバイパス構成になっている場合は、入口に入る液体をバイパス部分に沿って方向転換させてバイパス出口から出すことによって液体が出口から出ることを効果的に防止できるように、バイパス部分と少なくとも部分的に重なるコネクタの内面の領域を有することを特徴とする。
【００１４】
概して、コネクタは縦樋コネクタの形態でよい。
【００１５】
コネクタは、本発明の範囲から逸脱することなく、様々な形状でよいことが想定される。
【００１６】
概して、コネクタの入口および出口は、概ねコネクタの頂部および底部に配置された開口でよい。
【００１７】
バイパス出口は、入口と出口の中間の位置でコネクタの側部に配置された開口の形態でよい。開口は、本発明の範囲から逸脱することなく、様々な異なる形状およびサイズでよいことが想定される。
【００１８】
概して、バイパス部分はフラップの形態でよい。
【００１９】
したがって、参照を容易にするために、ここではバイパス部分を単にフラップと呼ぶが、これは制限的とは見なされない。
【００２０】
好ましい実施形態では、フラップは液体および／または懸濁物質を方向転換させ、コネクタの出口を通る通路の通常の経路から離すことができる樋を形成するような構成でよいことが想定される。参照を容易にするために、本明細書では液体を水として説明し、本明細書では懸濁物質を細片と呼ぶ。しかし、これらの用語はいかなる意味でも本発明の範囲を制限するものではない。
【００２１】
幾つかの実施形態では、フラップの側部は少なくとも部分的に湾曲しているか、フラップが側壁を有してよい。
【００２２】
幾つかの実施形態では、フラップおよびバイパス出口は、水および／または細片を単にコネクタの側部から排出可能にすることができる。
【００２３】
好ましい実施形態では、フラップは樋または流路などに接続することができ、これはバイパス出口を出る水および／または細片を所望の位置または保存区域へと誘導する。
【００２４】
好ましい実施形態では、フラップは内部分および外部分を有してよい。
【００２５】
他の実施形態では、フラップは内部分を有するだけでよい。
【００２６】
使用時には、フラップは、入口と出口との間の自由連絡を達成するために、非バイパス構成へと動いてよい。したがって、非バイパス構成で、コネクタは縦樋が通常の方法で機能できるようにする。
【００２７】
好ましい実施形態では、入口と出口との間の自由連絡（つまり非バイパス構成）を達成するために、フラップは、フラップがコネクタの表面と実質的に平行に配向されるように動くことができる。
【００２８】
さらなる実施形態では、フラップが非バイパス構成になっている場合、フラップの内部分はコネクタの内面と接触することができ、フラップの外部分はコネクタの外面と接触することができる。
【００２９】
好ましい実施形態では、フラップが非バイパス構成になっている場合、フラップはバイパス出口を覆うことができる。
【００３０】
使用時には、フラップは、入口と出口との間の連絡を防止するために、バイパス構成へと動くこともできる。
【００３１】
概して、フラップは、旋回運動を使用して非バイパス構成とバイパス構成との間で動く。
【００３２】
好ましい実施形態では、フラップはバイパス出口内で旋回することができる。
【００３３】
好ましい実施形態では、フラップは、バイパス構成と非バイパス構成との間で旋回するために、コネクタに対して滑動することもできる。
【００３４】
コネクタの内面の領域を、少なくとも部分的にバイパス部分と重なるように構成する様々な異なる方法があり得ると想定される。
【００３５】
好ましい実施形態では、フラップがバイパス構成になっている場合、縦樋の内面には、フラップの上面上に延在し、それと突き当たる領域があってよい。
【００３６】
重なる部分は、水密シールを形成できることが好ましい。
【００３７】
重なる部分は、フラップがバイパス構成へと動く場合に、フラップを所定の位置に保持できることが好ましい。このような実施形態では、これはコネクタの内面間の重なる領域によって形成された口に挿入することができる突起を有するフラップを介して実行できることが想定される。しかし、これに制限されるものとは見なされない。
【００３８】
幾つかの好ましい実施形態では、重なる部分は突出するリップの形態でよい。
【００３９】
別の好ましい実施形態では、重なる部分はコネクタの内面の階段状部分の形態でよい。このような実施形態では、階段状の重なる領域は、コネクタの上部分と下部分との内径または断面寸法の違いの結果として形成することができる。
【００４０】
他の実施形態では、重なる部分は、縦樋の内面の実質的に全周に延びることができる。
【００４１】
幾つかのさらに好ましい実施形態では、コネクタは、内部ウォータトラップおよびトラップに関連する代替バイパス出口を有してよく、これはバイパス出口と入口の間に配置される。
【００４２】
このような実施形態では、内部ウォータトラップは入口に入る水を捕捉し、水を代替バイパス出口に通し、保存タンクなどの所望の位置に向かって方向転換できるようにする。タンクが満杯の場合、または代替バイパス出口に栓がしてある場合、コネクタに入る水はトラップから溢れ出し、フラップがバイパス構成であるか非バイパス構成であるかに応じて、出口またはバイパス出口から出る。したがって、フラップがバイパス構成になっている場合、水はバイパス出口を出るように方向転換される。
【００４３】
内部トラップは様々な形態でよく、好ましくはウォータトラップが、コネクタの内面からある距離引き離された１つまたは複数のさらなる内壁によって生成できると想定される。
【００４４】
さらなる実施形態では、代替バイパス出口をホースまたは他の導管と結合して、水を代替位置へと搬送することができる。
【００４５】
したがって、本発明の好ましい実施形態は、先行技術に対して以下のような幾つかの利点を有することができる。
水および細片が出口を通過することを防止する効果的なバイパスを形成すること。
妨害となる、または支持するリブが全くない状態で、バイパス部分を単一の部片から構成することにより、細片が縦樋コネクタ内に捕捉されることを防止すること。
可動部品または留め具が少なくなるので、縦樋コネクタが、機械的不具合のせいで動作不能になる危険が少なくなること。
雨水を屋根から方向転換して、タンクに保存するか、保存または使用するために代替位置へと方向転換できること。
【００４６】
本発明のさらなる態様は、例示によってのみ与えられ、添付図面に関連する以下の説明から明白になる。
【発明を実施するための最良の形態】
【００４７】
図１に、全体的に矢印１で示され、非バイパス構成になっている縦樋コネクタの形態のコネクタがある。縦樋コネクタ１は実際は実質的に管状である。
【００４８】
縦樋コネクタ１は入口２および出口３を有する。コネクタ１は、フラップ４の形態のバイパス部分を有し、これは縦樋コネクタ１の側部と実質的に平行になっている。
【００４９】
図２に、バイパス構成になっている縦樋コネクタ１がある。フラップ４は、内部分５および外部分６を有する。
【００５０】
この実施形態では、フラップ４は、矢印７で示す方向に旋回することによって動いており、全体的に矢印８で示す旋回点を中心に旋回している。これによって内部分５が、コネクタ１の内面２３上にある突出リップ９状の重なり領域に突き当たる。フラップ４が動くと、縦樋コネクタ１の側部にあるバイパス出口１０が露出する。
【００５１】
縦樋コネクタ１の使用時には、コネクタ１は家屋（図示せず）の樋システムに接続されている。矢印１３で示すような水は、入口２を通って縦樋コネクタに入る。フラップ４が、図１に示すような非バイパス構成になっている場合、水１３は矢印１４に示すように出口３を通過し、縦樋および排水システム（図示せず）に入る。
【００５２】
しかし、フラップ４がバイパス構成（図２）になっている場合、入口２に入る水１３はフラップ４によって矢印１５で示すように方向転換し、バイパス出口１０を通過する。
【００５３】
図３に関して、バイパス構成になっている縦樋コネクタ１の代替実施形態がある。参照を容易にするために、図２で使用した同じ参照番号が、同様の要素を示すために使用されている。しかし、この実施形態は、重なり領域が階段２２状である点で異なっている。
【００５４】
図４に、バイパス構成になっている縦樋コネクタ１の別の代替実施形態がある。この場合も、参照を容易にするために、図２で使用した同じ参照番号が、同様の要素を示すために使用されている。この実施形態で示すように、コネクタの旋回点８は追加のフラップ３２を有し、フラップ４の内部分５は追加のフラップ３３を有する。この実施形態では、突出リップ３０状の重なり領域があることも図示されている。突出リップ３０は、コネクタ１の内面２３から突き出して、コネクタ１の内面２３と突出リップ３０の間で口３１を形成する。さらに、フラップ４の内部分５の端部は、リップ３５状の突起を有する。
【００５５】
図５に、バイパス構成へと動いているフラップ４の組立分解断面側面図がある。この場合も、以上の図で使用した同じ参照番号が、同様の要素を示すために使用されている。
【００５６】
図６に、図４および図５に示したようなコネクタ１の実施形態の斜視図がある。この場合も、以上の図で使用した同じ参照番号が、同様の要素を示すために使用されている。この図は、フラップ４の内部分５の詳細図を示す。コネクタ１およびフラップ４のフラップ３２および３３がそれぞれ、明瞭に見える。コネクタ１の壁とフラップ３２の間の矢印３４で示す空間が図示されている。この空間は、フラップ４がバイパス構成になっている場合に、フラップ３２と３３が相互に接続する場所である。
【００５７】
図４から図６に図示されたような実施形態では、縦樋コネクタ１がバイパス構成になっている。バイパス構成を達成するために、最初にフラップ４を矢印２５の方向に滑動させ、次に概ね矢印８の方向で示した旋回点を中心にフラップ４を旋回させて、フラップ４を矢印７で示した方向に動かすことによって、フラップ４を動かす。フラップ４がバイパス構成になると、リップ３５は口３１に挿入される。フラップ３３も空間３４に挿入される。したがって、リップ３５の口３１への挿入は、空間３４内のフラップ３２と３２との接続とともに、フラップ４を所定の位置に保持することを補助する。
【００５８】
図７に、全体的に矢印１で示され、非バイパス構成になっているフラップ４（一部のみ図示）を有するさらなる実施形態の縦樋コネクタ１がある。この実施形態では、縦樋コネクタ１は、内壁２０によって生成されたウォータトラップ１１を有する。コネクタ１は、代替バイパス出口１２も有する。代替バイパス出口１２は、ホース（図示せず）への接続を補助するために、ねじ付き外面を有する管状突起である。
【００５９】
使用時には、水は入口２に入り、縦樋コネクタ１と内部トラップ１１との間で矢印１６に示すように方向転換する。次に、水は代替バイパス出口１２を通って、矢印１７に示すように方向転換する。水１７は、ホース（図示せず）に入り、これが水を代替位置、好ましくは収集タンク（図示せず）へと誘導することが好ましい。タンクが満杯の場合（図示せず）、水は内部トラップを逆流して、これが矢印２１に示すように溢れ、したがって水はコネクタを下降して出口３から出る。しかし、フラップ４が図２に示すようにバイパス構成になっている場合、水はバイパス出口（図示せず）から出るように誘導される。
【００６０】
本発明の態様を例示によってのみ説明してきたが、請求の範囲で定義されている通りの本発明の範囲から逸脱することなく、本発明に変更および追加ができることを理解されたい。
【図面の簡単な説明】
【００６１】
【図１】非バイパス構成になっているコネクタの好ましい一実施形態の外部側面図を示す。
【図２】コネクタバイパス構成の好ましい一実施形態の内部断面側面図を示す。
【図３】コネクタの好ましい代替実施形態の内部断面側面図を示す。
【図４】コネクタバイパス構成のさらに別の好ましい実施形態の内部断面側面図を示す。
【図５】図４に示したようなコネクタの実施形態の組立分解断面側面図を示す。
【図６】図４に示したようなコネクタの実施形態の組立分解斜視図を示す。
【図７】閉鎖または非バイパス構成で、内部ウォータトラップおよび代替バイパス出口があるコネクタのさらに別の好ましい実施形態の内部背面図を示す。
【図１】
2008536033.tif 000003
【図２】
2008536033.tif 000004
【図３】
2008536033.tif 000005
【図４】
2008536033.tif 000006
【図５】
2008536033.tif 000007
【図６】
2008536033.tif 000008
【図７】
2008536033.tif 000009
【国際調査報告】
2008536033.tif 000010
2008536033.tif 000011